(57)【要約】【課題】電極の断線またはクラックの発生を防止することができるタッチパネルを提供する。【解決手段】本発明のタッチパネルは、活性領域と活性領域の縁領域である非活性領域とに区画される透明基板１１０と、透明基板１１０の一面に形成される電極１４０と、透明基板１１０の一面の非活性領域に形成されるベゼル１２０と、を含み、ベゼル１２０は、シラン（ｓｉｌａｎｅ）及び顔料を含むベゼル組成物からなるものである。【選択図】図２
2014123340.tif 000002
【特許請求の範囲】
【請求項１】
活性領域と前記活性領域の縁領域である非活性領域とに区画される透明基板と、
前記透明基板の一面に形成される電極と、
前記透明基板の一面の前記非活性領域に形成されるベゼルと、を含み、
前記ベゼルは、シラン（ｓｉｌａｎｅ）及び顔料を含むベゼル組成物からなるタッチパネル。
【請求項２】
前記ベゼルは、側端部に傾斜して形成された傾斜部を含む請求項１に記載のタッチパネル。
【請求項３】
前記傾斜部は、前記活性領域の方向に向かって高さが次第に低くなるように傾斜して形成される請求項２に記載のタッチパネル。
【請求項４】
前記透明基板の一面と前記傾斜部の傾斜面との間の角度は、１０〜８０゜に形成される請求項３に記載のタッチパネル。
【請求項５】
前記電極は、前記透明基板の前記活性領域及び前記非活性領域に渡って形成されるとともに、前記ベゼルの一面に沿って形成される請求項１に記載のタッチパネル。
【請求項６】
前記電極は、
前記透明基板の前記活性領域に形成されるタッチ電極と、
前記透明基板の前記非活性領域に形成される電極配線と、を含み、
前記電極配線は前記ベゼルの一面に沿って形成される請求項１に記載のタッチパネル。
【請求項７】
絶縁物質からなり、前記ベゼルと前記電極との間に形成される遮蔽層をさらに含む請求項１に記載のタッチパネル。
【請求項８】
前記ベゼル組成物は、顔料分散剤をさらに含んでなる請求項１に記載のタッチパネル。
【請求項９】
前記ベゼル組成物は、バインダー樹脂をさらに含んでなる請求項１に記載のタッチパネル。
【請求項１０】
前記ベゼル組成物は、溶剤をさらに含んでなる請求項９に記載のタッチパネル。
【請求項１１】
前記ベゼル組成物は、光重合性化合物及び光開始剤をさらに含んでなる請求項１０に記載のタッチパネル。
【請求項１２】
前記ベゼル組成物は、高分子化合物、硬化剤、界面活性剤、密着促進剤、酸化防止剤、紫外線吸収剤、凝集防止剤のうち何れか一つ以上を含んでなる添加剤をさらに含む請求項１１に記載のタッチパネル。
【請求項１３】
前記顔料は、二酸化チタン（ＴｉＯ２）またはカーボンブラック（ｃａｒｂｏｎ  ｂｌａｃｋ）を含んでなる請求項１に記載のタッチパネル。
【発明の詳細な説明】
【技術分野】
【０００１】
本発明は、タッチパネルに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在、入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置として、タッチパネル（Ｔｏｕｃｈ  Ｐａｎｅｌ）が開発された。
【０００５】
タッチパネルは、電子手帳、液晶表示装置（ＬＣＤ；Ｌｉｑｕｉｄ  Ｃｒｙｓｔａｌ  Ｄｉｓｐｌａｙ  Ｄｅｖｉｃｅ）、ＰＤＰ（Ｐｌａｓｍａ  Ｄｉｓｐｌａｙ  Ｐａｎｅｌ）、Ｅｌ（Ｅｌｅｃｔｒｏｌｕｍｉｎｅｓｃｅｎｃｅ）などの平板ディスプレイ装置及びＣＲＴ（Ｃａｔｈｏｄｅ  Ｒａｙ  Ｔｕｂｅ）などの画像表示装置の表示面に設けられ、ユーザが画像表示装置を見ながら所望の情報を選択するようにするために利用される機器である。
【０００６】
タッチパネルの種類は、抵抗膜方式（Ｒｅｓｉｓｔｉｖｅ  Ｔｙｐｅ）、静電容量方式（Ｃａｐａｃｉｔｉｖｅ  Ｔｙｐｅ）、電磁方式（Ｅｌｅｃｔｒｏ−Ｍａｇｎｅｔｉｃ  Ｔｙｐｅ）、表面弾性波方式（ＳＡＷ  Ｔｙｐｅ；Ｓｕｒｆａｃｅ  Ａｃｏｕｓｔｉｃ  Ｗａｖｅ  Ｔｙｐｅ）及び赤外線方式（Ｉｎｆｒａｒｅｄ  Ｔｙｐｅ）に区分される。このような多様な方式のタッチパネルは、信号増幅の問題、解像度の差、設計及び加工技術の難易度、光学的特性、電気的特性、機械的特性、耐環境特性、入力特性、耐久性及び経済性を考慮して電子製品に採用されるが、現在、もっとも幅広い分野で用いられている方式は、抵抗膜方式タッチパネル及び静電容量方式タッチパネルである。
【０００７】
このようなタッチパネルは、通常、タッチパネル構造の最外側に備えるウィンドウガラス（ｗｉｎｄｏｗ  ｇｌａｓｓ）に、電極配線を覆ったり、装飾パターンが形成される黒色または白色などの色を有するベゼル部を備える。
【０００８】
ベゼル部が形成された従来のタッチパネルの具体的な一例としては、特許文献１に開示されたタッチパネルが挙げられる。
【０００９】
しかし、従来のタッチパネルは、ベゼル部に電極を形成する際に、ベゼル部の段差によって電極の断線またはクラックが発生するという問題があった。
【先行技術文献】
【特許文献】
【００１０】
【特許文献１】韓国公開特許第２０１０−０１３４２２６号公報
【発明の概要】
【発明が解決しようとする課題】
【００１１】
本発明は、上記の従来技術の問題点を解決するためのものであって、本発明の一目的は、ベゼル部に電極を安定して形成することができるタッチパネルを提供することにある。
【課題を解決するための手段】
【００１２】
本発明の一実施例によるベゼル組成物を含むタッチパネルは、活性領域と前記活性領域の縁領域である非活性領域とに区画される透明基板と、前記透明基板の一面に形成される電極と、前記透明基板の一面の前記非活性領域に形成されるベゼルと、を含み、前記ベゼルは、シラン（ｓｉｌａｎｅ）及び顔料を含むベゼル組成物からなるものである。
【００１３】
また、本発明の一実施例によるタッチパネルにおいて、前記ベゼルは、側端部に傾斜して形成された傾斜部を含むことができる。
【００１４】
また、本発明の一実施例によるタッチパネルにおいて、前記傾斜部は、前記活性領域の方向に向かって高さが次第に低くなるように傾斜して形成されることができる。
【００１５】
また、本発明の一実施例によるタッチパネルにおいて、前記透明基板の一面と前記傾斜部の傾斜面との間の角度は、１０〜８０゜に形成されることができる。
【００１６】
また、本発明の一実施例によるタッチパネルにおいて、前記電極は、前記透明基板の前記活性領域及び前記非活性領域に渡って形成されるとともに、前記ベゼルの一面に沿って形成されることができる。
【００１７】
また、本発明の一実施例によるタッチパネルにおいて、前記電極は、前記透明基板の前記活性領域に形成されるタッチ電極と、前記透明基板の前記非活性領域に形成される電極配線と、を含み、前記電極配線は前記ベゼルの一面に沿って形成されることができる。
【００１８】
また、本発明の一実施例によるタッチパネルにおいて、絶縁物質からなり、前記ベゼルと前記電極との間に形成される遮蔽層をさらに含むことができる。
【００１９】
また、本発明の一実施例によるタッチパネルにおいて、前記ベゼル組成物は、顔料分散剤をさらに含んでなることができる。
【００２０】
また、本発明の一実施例によるタッチパネルにおいて、前記ベゼル組成物は、バインダー樹脂をさらに含んでなることができる。
【００２１】
また、本発明の一実施例によるタッチパネルにおいて、前記ベゼル組成物は、溶剤をさらに含んでなることができる。
【００２２】
また、本発明の一実施例によるタッチパネルにおいて、前記ベゼル組成物は、光重合性化合物及び光開始剤をさらに含んでなることができる。
【００２３】
また、本発明の一実施例によるタッチパネルにおいて、前記ベゼル組成物は、高分子化合物、硬化剤、界面活性剤、密着促進剤、酸化防止剤、紫外線吸収剤、凝集防止剤のうち何れか一つ以上を含んでなる添加剤をさらに含むことができる。
【００２４】
また、本発明の一実施例によるタッチパネルにおいて、前記顔料は、二酸化チタン（ＴｉＯ２）またはカーボンブラック（ｃａｒｂｏｎ  ｂｌａｃｋ）を含んでなることができる。
【発明の効果】
【００２５】
本発明によると、ベゼルに傾斜部を形成することにより、段差無く電極を安定して形成することができるため、電極の断線またはクラックの発生を防止することができる。
【図面の簡単な説明】
【００２６】
【図１】本発明の一実施例によるタッチパネルにおける透明基板を示した平面図である。
【図２】本発明の一実施例によるタッチパネルを示した断面図である。
【図３】図２に図示されたＡ領域を拡大して示した断面図である。
【発明を実施するための形態】
【００２７】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００２８】
以下、添付図面を参照して、本発明の好ましい実施例を詳細に説明する。
図１は、本発明の一実施例によるタッチパネルにおける透明基板を示した平面図であり、図２は、本発明の一実施例によるタッチパネルを示した断面図であり、図３は、図２に図示されたＡ領域を拡大して示した断面図である。
【００２９】
図１から図３に図示されたように、本発明の一実施例によるベゼル組成物を含むタッチパネルは、活性領域１１１と前記活性領域１１１の縁領域である非活性領域１１２とに区画される透明基板１１０と、前記透明基板１１０の一面の前記非活性領域１１２に形成されるベゼル組成物からなるベゼル１２０と、を含む。
【００３０】
より詳細には、透明基板１１０は、タッチ位置を検出するための電極１４０が形成される領域を提供する役割を遂行することができる。透明基板１１０は、このような電極１４０を支持することができる支持力と、画像表示装置から提供される画像をユーザが認識できるようにする透明性を備えなければならない。
【００３１】
上述の支持力及び透明性を考慮して、透明基板１１０は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００３２】
一方、透明基板１１０は、図１に図示されたように、活性領域１１１とこの活性領域１１１の縁領域である非活性領域１１２とに区画されることができる。活性領域１１１は、ユーザによるタッチ作用がなされる領域であり、ユーザが機器の動作場面を視覚的に確認するための画面領域である。また、非活性領域１１２は、透明基板１１０に形成される後述するベゼル１２０によって覆われ、外部に露出されない領域である。
【００３３】
ベゼル１２０は、透明基板１１０の一面の非活性領域１１２に形成される（図１参照）。また、ベゼル１２０は、透明基板１１０の非活性領域１１２に対応する領域に配置される電極１４０の一側を覆う役割を遂行することができる。また、ベゼル１２０には、必要に応じて、製造社のロゴなどの装飾パターンを形成することもできる。
【００３４】
また、ベゼル１２０は、側端部に傾斜して形成された傾斜部を含む。ここで、傾斜部は、透明基板１１０の活性領域１１１の方向に向かって高さが次第に低くなるように傾斜して形成される。この際、透明基板１１０の一面とベゼル１２０の傾斜面との間の角度ａは、９０゜以下である。より詳細には、透明基板１１０の一面とベゼル１２０の傾斜面との間の角度ａは、１０〜８０゜であることができる。
【００３５】
また、ベゼル１２０は、シラン（ｓｉｌａｎｅ）、着色剤及びバインダー樹脂を含むベゼル組成物からなることができる。尚、ベゼル組成物は、光重合性化合物、光重合開始剤、溶剤、添加剤をさらに含むことができる。
【００３６】
シランは、ベゼル組成物に含まれて、ベゼル１２０の傾斜部が形成されるように粘着性を有する。ここで、シランは、ＲＳｉ（ＯＣＮＨ２ＮＨ）３からなることができ、例えば、ビニルトリエトキシシラン（Ｖｉｎｙｌｔｒｉｅｔｈｏｘｙｓｉｌａｎｅ）からなることができる。
【００３７】
着色剤は、顔料及び顔料分散剤を含む着色剤組成物からなることができる。
【００３８】
ここで、顔料は、二酸化チタン（ＴｉＯ２）またはカーボンブラック（ｃａｒｂｏｎ  ｂｌａｃｋ）を含んでなることができるが、本発明の顔料の種類がこれに限定されるものではない。二酸化チタンは、白色顔料であって、着色剤組成物中の固形分に対して質量分率で、５０〜９０質量％であることができる。この際、二酸化チタンは、例えば、６５〜８５質量％で着色剤組成物に含まれることができる。
【００３９】
また、顔料分散剤は、例えば、ポリエステル系重合体分散剤、アクリル系重合体分散剤、リン酸エステル系分散剤、ポリウレタン系重合体分散剤、カチオン系界面活性剤、アニオン系界面活性剤、ノニオン系界面活性剤のうち何れか一つまたは何れか一つ以上の組合せからなることができる。顔料分散剤の含量は、顔料及び／または染料１００重量部に対して１〜１０重量部で含まれる。顔料分散剤の含量が前記範囲を満たす場合、均一な分散状態の顔料が得られるため好ましい。
【００４０】
バインダー樹脂は、ゼラチン、ポリビニルアルコール（ＰＶＡ）、ポリビニルピロリドン（ＰＶＰ）、澱粉などの多糖類、セルロース及びその誘導体、ポリエチレンオキサイド、ポリビニルアミン、キトサン、ポリリシン、ポリアクリル酸、ポリアルギン酸、ポリヒアルロン酸、カルボキシセルロースのうち何れか一つ以上からなることができる。
【００４１】
光重合性化合物は、光及び光重合開始剤の作用により重合されることができる化合物であって、単官能単量体、２官能単量体、その他の多官能単量体のうち何れか一つ以上からなることができる。
【００４２】
光重合開始剤は、トリアジン系化合物、アセトフェノン系化合物、ビイミダゾール系化合物及びオキシム化合物のうち何れか一つ以上からなることができる。
【００４３】
溶剤としては、エーテル類、芳香族炭化水素類、ケトン類、アルコール類、エステル類またはアミド類などを用いることができる。
【００４４】
添加剤は、高分子化合物、硬化剤、界面活性剤、密着促進剤、酸化防止剤、紫外線吸収剤、凝集防止剤などからなることができる。
【００４５】
電極１４０は、透明基板１１０の一面に形成されるとともに、透明基板１１０の活性領域及び非活性領域に渡って形成されることができる。この際、電極１４０は、ベゼル１２０の一面に沿って形成されることができる。ここで、ベゼル１２０の一面は、図２及び図３において、ベゼル１２０の上側面であることができる。
【００４６】
また、電極１４０は、透明基板１１０の前記活性領域に形成されるタッチ電極１４１と、前記透明基板１１０の前記非活性領域に形成される電極配線１４２と、を含む。この際、電極配線１４２は、ベゼル１２０の一面に形成することができる。ここで、電極配線１４２は、タッチ電極１４１の縁領域に形成され、タッチ電極１４１からの電気的信号を受信する。
【００４７】
具体的には、電極１４０は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）またはこれらの組合せを用いて、メッシュパターン（Ｍｅｓｈ  Ｐａｔｔｅｒｎ）に形成することができる。この際、電極１４０は、メッキ工程または蒸着工程により形成することができる。
【００４８】
一方、電極１４０を銅（Ｃｕ）で形成する場合、電極１４０の表面は、黒化処理されることが好ましい。ここで、黒化処理とは、電極１４０の表面を酸化させてＣｕ２ＯまたはＣｕＯを析出させることであり、Ｃｕ２Ｏは、茶色を呈するためブラウンオキサイド（Ｂｌｏｗｎ  Ｏｘｉｄｅ）といい、ＣｕＯは、黒色を呈するためブラックオキサイド（Ｂｌａｃｋ  Ｏｘｉｄｅ）という。このように、電極１４０の表面を黒化処理することにより、光が反射することを防止することができ、それによって、タッチパネルの視認性を改善させることができる。
【００４９】
また、電極１４０は、線幅が７μｍ以下に形成され、ピッチが９００μｍ以下に形成されることにより、視認性を改善することができる。しかし、本発明の第１実施例による電極１４０の線幅及びピッチがこれに限定されるものではない。
【００５０】
一方、上述の金属の他にも、電極１４０は、銀塩乳剤層を露光／現像して形成された金属銀で形成することができる。
【００５１】
また、電極１４０は、伝導性高分子または金属酸化物を用いて面状に形成することができる。
【００５２】
ここで、導電性高分子は、柔軟性に優れており、コーティング工程が単純である。この際、導電性高分子は、ポリ−３，４−エチレンジオキシチオフェン／ポリスチレンスルホネート（ＰＥＤＯＴ／ＰＳＳ）、ポリアニリン、ポリアセチレンまたはポリフェニレンビニレンを含んでなることができる。
【００５３】
また、金属酸化物は、インジウム−スズ酸化物（Ｉｎｄｉｕｍ  Ｔｉｎ  Ｏｘｉｄｅ）からなることができる。
【００５４】
尚、電極１４０は、導電性高分子または金属酸化物からなる場合、乾式工程、湿式工程またはダイレクト（ｄｉｒｅｃｔ）パターニング工程により形成することができる。ここで、乾式工程は、スパッタリング（Ｓｐｕｔｔｅｒｉｎｇ）、蒸着（Ｅｖａｐｏｒａｔｉｏｎ）などを意味し、湿式工程は、ディップコーティング（Ｄｉｐ  ｃｏａｔｉｎｇ）、スピンコーティング（Ｓｐｉｎ  ｃｏａｔｉｎｇ）、ロールコーティング（Ｒｏｌｌ  ｃｏａｔｉｎｇ）、スプレーコーティング（Ｓｐｒａｙ  ｃｏａｔｉｎｇ）などを意味し、ダイレクトパターニング工程は、スクリーン印刷法（Ｓｃｒｅｅｎ  Ｐｒｉｎｔｉｎｇ）、グラビア印刷法（Ｇｒａｖｕｒｅ  Ｐｒｉｎｔｉｎｇ）、インクジェット印刷法（Ｉｎｋｊｅｔ  Ｐｒｉｎｔｉｎｇ）などを意味する。
【００５５】
ここで、電極１４０は、導電性高分子または金属酸化物からなる場合、図面のように棒形のパターンに形成することができるが、これに限定されず、電極１４０は、菱形パターン、四角形パターン、三角形パターン、円形パターンなど当業界に公知された全てのパターンに形成することができる。
【００５６】
一方、本発明の一実施例によるタッチパネルは、ベゼル１２０と電極１４０との間に形成される遮蔽層１３０をさらに含むことができる。ここで、遮蔽層１３０は、絶縁物質からなって、ベゼル１２０と電極１４０との間の通電を防止することができる。
【００５７】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００５８】
本発明の単純な変形乃至変更はいずれも本発明の領域に属するものであり、本発明の具体的な保護範囲は添付の特許請求の範囲により明確になるであろう。
【産業上の利用可能性】
【００５９】
本発明は、タッチパネルに適用可能である。
【符号の説明】
【００６０】
１１０  透明基板
１１１  活性領域
１１２  非活性領域
１２０  ベゼル
１３０  遮蔽層
１４０  電極
１４１  タッチ電極
１４２  電極配線
【図１】
2014123340.tif 000003
【図２】
2014123340.tif 000004
【図３】
2014123340.tif 000005